(57)【要約】【課題】静止画像及び字幕文字列を含む要約コンテンツを、視聴者から見て、その字幕文字列の可読性を高めると共に、静止画像の表示を視覚的に自然に切り替えることができる表示装置、方法及びプログラムを提供する。【解決手段】デジタル放送コンテンツから、字幕文字列の単位を抽出する字幕文字列抽出手段と、字幕文字列の単位毎に、映像を抽出する映像抽出手段と、字幕文字列の単位に基づく映像の中から、１つの静止画像を抽出する画像抽出手段と、字幕文字列の単位毎に、その文字数に応じて、静止画像の表示時間を決定する表示時間決定手段と、静止画像及び字幕文字列を第１の方向に並べ、静止画像を時間進行に伴って第２の方向に滑動的に移動させて表示する表示制御手段とを有する。表示制御手段は、静止画像毎に、表示時間だけ、表示領域の表示中央範囲に表示されるべく、第２の方向への移動速度を可変制御する。【選択図】図３
2011061670.tif 000002
【特許請求の範囲】
【請求項１】
映像及び字幕文字列を含むデジタル放送コンテンツに基づく要約コンテンツを表示する表示装置であって、
前記デジタル放送コンテンツから、前記字幕文字列の単位を抽出する字幕文字列抽出手段と、
前記デジタル放送コンテンツから、前記字幕文字列の単位毎に、前記映像を抽出する映像抽出手段と、
前記字幕文字列の単位に基づく前記映像の中から、１つの静止画像を抽出する画像抽出手段と、
前記字幕文字列の単位毎に、その文字数に応じて、前記静止画像の表示時間を決定する表示時間決定手段と、
前記静止画像及び前記字幕文字列を第１の方向に並べ、前記静止画像を時間進行に伴って第２の方向に滑動的に移動させて表示する表示制御手段と
を有し、
前記表示制御手段は、前記静止画像毎に、前記表示時間だけ、表示領域の表示中央範囲に表示されるべく、第２の方向への移動速度を可変制御する
ことを特徴とする表示装置。
【請求項２】
前記表示制御手段は、第２の方向への前記移動速度を、前記表示領域の表示中央範囲における距離から、前記表示時間で除算することによって決定することを特徴とする請求項１に記載の表示装置。
【請求項３】
前記表示時間決定手段は、前記表示時間を、前記文字数が所定数以下である場合に、少なくとも所定最小時間に決定することを特徴とする請求項１又は２に記載の表示装置。
【請求項４】
前記表示制御手段は、前記表示領域の表示中央範囲に表示される静止画像が、第１の画像から第２の画像へ切り替わる際に、第１の画像の表示時間の中の終了所定時間範囲と、第２の画像の表示時間の中の開始所定時間範囲との間で、第１の画像の表示時間に基づく第１の移動速度から、第２の表示時間に基づく第２の移動速度へ可変制御することを特徴とする請求項１から３のいずれか１項に記載の表示装置。
【請求項５】
前記表示制御手段は、
少なくとも３つ以上の前記静止画像及び字幕文字列を、時間進行に伴って第２の方向に移動しながら表示し、
前記表示領域の表示中央範囲に第２の静止画像及び字幕文字列を表示し、当該表示中央範囲の前方に時間的過去の第１の静止画像及び字幕文字列を表示し、当該表示中央範囲の後方に時間的未来の第３の静止画像及び字幕文字列を表示する
ことを特徴とする請求項１から４のいずれか１項に記載の表示装置。
【請求項６】
前記表示制御手段は、前記表示領域の表示中央範囲に表示されている第２の静止画像及び字幕文字列を、ハイライトによって視覚的に強調して表示することを特徴とする請求項５に記載の要約コンテンツを表示する表示装置。
【請求項７】
前記表示制御手段は、前記表示領域の表示中央範囲外に表示されている第１の静止画像及び字幕文字列及び第３の静止画像及び字幕文字列を、コントラストを下げることによって視覚的に目立たないように表示することを特徴とする請求項５に記載の要約コンテンツを表示する表示装置。
【請求項８】
映像及び字幕文字列を含むデジタル放送コンテンツに基づく要約コンテンツを表示する表示装置に搭載されたコンピュータを機能させるプログラムであって、
前記デジタル放送コンテンツから、前記字幕文字列の単位を抽出する字幕文字列抽出手段と、
前記デジタル放送コンテンツから、前記字幕文字列の単位毎に、前記映像を抽出する映像抽出手段と、
前記字幕文字列の単位に基づく前記映像の中から、１つの静止画像を抽出する画像抽出手段と、
前記字幕文字列の単位毎に、その文字数に応じて、前記静止画像の表示時間を決定する表示時間決定手段と、
前記静止画像及び前記字幕文字列を第１の方向に並べ、前記静止画像を時間進行に伴って第２の方向に滑動的に移動させて表示する表示制御手段と
を有し、
前記表示制御手段は、前記静止画像毎に、前記表示時間だけ、表示領域の表示中央範囲に表示されるべく、第２の方向への移動速度を可変制御する
ようにコンピュータを機能させることを特徴とする表示プログラム。
【請求項９】
映像及び字幕文字列を含むデジタル放送コンテンツに基づく要約コンテンツを表示装置に表示する表示方法であって、
前記デジタル放送コンテンツから、前記字幕文字列の単位を抽出する第１のステップと、
前記デジタル放送コンテンツから、前記字幕文字列の単位毎に、前記映像を抽出する第２のステップと、
前記字幕文字列の単位に基づく前記映像の中から、１つの静止画像を抽出する第３のステップと、
前記字幕文字列の単位毎に、その文字数に応じて、前記静止画像の表示時間を決定する第４のステップと、
前記静止画像及び前記字幕文字列を第１の方向に並べ、前記静止画像を時間進行に伴って第２の方向に滑動的に移動させて表示する第５のステップと
を有し、
第５のステップは、前記静止画像毎に、前記表示時間だけ、表示領域の表示中央範囲に表示されるべく、第２の方向への移動速度を可変制御する
ことを特徴とする表示方法。
【発明の詳細な説明】
【技術分野】
【０００１】
本発明は、映像及び字幕文字列を含むデジタル放送コンテンツを表示する技術に関する。特に、地上デジタル放送サービスに配信されたコンテンツを録画し、且つ、その要約コンテンツを再生する技術に関する。
【背景技術】
【０００２】
地上デジタル放送サービスによれば、映像に加えて、字幕情報（クローズドキャプション）も同時に配信される。字幕情報は、その映像に関する会話やセリフのような文字列である。放送受信端末は、受信した放送データ内の映像データ及び音声データを再生すると共に、その放送データ内の字幕情報データを、再生中の映像データに重畳して表示する。放送受信端末は、家庭用のテレビ受像機に限られず、例えばパーソナルコンピュータや携帯電話端末であってもよい。特に、携帯電話向け地上デジタル放送サービスとしては、ＡＲＩＢ（社団法人電波産業会）の標準規格で定められた「ワンセグ(1seg)」技術がある。この技術によれば、利用者は、音声を聞くことなく、再生中の映像と、常に表示される字幕情報とから、その内容を理解することができる。
【０００３】
放送受信端末には、受信した放送データを、ハードディスク装置等の記憶デバイスに録画する機能を搭載したものもある。記憶デバイスの大容量化によって、視聴者は、放送コンテンツを長時間に渡って録画し、その放送コンテンツをいつでも再生することができる。
【０００４】
このとき、視聴者は、１つの放送コンテンツについて、最初から最後まで再生する場合もあれば、一部分のみを再生する場合もある。特に、視聴者は、時間の制約によって、その放送コンテンツの概要だけを短時間で視聴したいと所望する場合も多い。この場合、視聴者は、早送りで再生しながら、見たいシーンの部分だけを通常再生によって視聴する。
【０００５】
視聴者に対して短時間でその放送コンテンツの概要を理解させるために、要約コンテンツを生成する技術がある。要約コンテンツとしては、例えば、原コンテンツから、部分的に抽出した映像データを連結したものや、部分的に抽出した静止画像からアニメーションを生成したものがある。
【０００６】
例えば、アニメーション画像を生成するために、切り出した静止画像に対して輪郭だけを抽出する画像処理を施し、それらを合成した画像群を連続的に切り替える技術がある（例えば特許文献１参照）。
【０００７】
また、デジタル放送コンテンツに含まれる字幕文字列の表示と共に、映像データから切り出した静止画像の表示を切り替えて表示する技術もある（例えば特許文献２参照）。
【先行技術文献】
【特許文献】
【０００８】
【特許文献１】特開２００７−００６３０８号公報
【特許文献２】特開２００９−０７６９７０号公報
【発明の概要】
【発明が解決しようとする課題】
【０００９】
特許文献１に記載された技術によれば、線描画のアニメーション画像が生成されるので、視聴者は、原コンテンツの画像を実感することができない。一方で、特許文献２に記載された技術によれば、映像データから切り出した静止画像を直接的に利用するために、原コンテンツの画像を実感しやすい。また、この技術によれば、静止画像の切替タイミングが、字幕文字列に基づいて決定されるために、静止画像と同時に表示される字幕文字列の可読性が高くなる。
【００１０】
しかしながら、この技術は、閲覧中に表示される静止画像及び字幕文字列は１組だけであって、その組を切り替えて表示するものである。この場合、視聴者は、複数の静止画像及び字幕文字列を、時間経過に伴う流れの中で理解することができない。勿論、注目されるべき静止画像及び字幕文字列を中心にして、時間経過に伴って、複数の静止画像及び字幕文字列を前後に表示することもできる。
【００１１】
しかしながら、時間経過に伴って静止画像及び字幕文字列の表示を移動させる際、字幕文字列に基づく表示時間に基づいて静止画像を切り替えた場合、断片的な表示の切り替えしかできない。即ち、静止画像を滑らかに移動させることができない。この場合、視聴者から見て、断片的な表示の切り替えは、不自然であって、視覚的な疲れを生じさせる原因ともなる。
【００１２】
そこで、本発明によれば、静止画像及び字幕文字列を含む要約コンテンツを、視聴者から見て、その字幕文字列の可読性を高めると共に、静止画像の表示を視覚的に自然に切り替えることができる表示装置、方法及びプログラムを提供することを目的とする。
【課題を解決するための手段】
【００１３】
本発明によれば、映像及び字幕文字列を含むデジタル放送コンテンツに基づく要約コンテンツを表示する表示装置であって、
デジタル放送コンテンツから、字幕文字列の単位を抽出する字幕文字列抽出手段と、
デジタル放送コンテンツから、字幕文字列の単位毎に、映像を抽出する映像抽出手段と、
字幕文字列の単位に基づく映像の中から、１つの静止画像を抽出する画像抽出手段と、
字幕文字列の単位毎に、その文字数に応じて、静止画像の表示時間を決定する表示時間決定手段と、
静止画像及び字幕文字列を第１の方向に並べ、静止画像を時間進行に伴って第２の方向に滑動的に移動させて表示する表示制御手段と
を有し、
表示制御手段は、静止画像毎に、表示時間だけ、表示領域の表示中央範囲に表示されるべく、第２の方向への移動速度を可変制御することを特徴とする。
【００１４】
本発明の表示装置における他の実施形態によれば、
表示制御手段は、第２の方向への移動速度を、表示領域の表示中央範囲における距離から、表示時間で除算することによって決定することも好ましい。
【００１５】
本発明の表示装置における他の実施形態によれば、表示時間決定手段は、表示時間を、文字数が所定数以下である場合に、少なくとも所定最小時間に決定することも好ましい。
【００１６】
本発明の表示装置における他の実施形態によれば、
表示制御手段は、表示領域の表示中央範囲に表示される静止画像が、第１の画像から第２の画像へ切り替わる際に、第１の画像の表示時間の中の終了所定時間範囲と、第２の画像の表示時間の中の開始所定時間範囲との間で、第１の画像の表示時間に基づく第１の移動速度から、第２の表示時間に基づく第２の移動速度へ可変制御することも好ましい。
【００１７】
本発明の表示装置における他の実施形態によれば、
表示制御手段は、
少なくとも３つ以上の静止画像及び字幕文字列を、時間進行に伴って第２の方向に移動しながら表示し、
表示領域の表示中央範囲に第２の静止画像及び字幕文字列を表示し、当該表示中央範囲の前方に時間的過去の第１の静止画像及び字幕文字列を表示し、当該表示中央範囲の後方に時間的未来の第３の静止画像及び字幕文字列を表示する
ことも好ましい。
【００１８】
本発明の表示装置における他の実施形態によれば、表示制御手段は、表示領域の表示中央範囲に表示されている第２の静止画像及び字幕文字列を、ハイライトによって視覚的に強調して表示することも好ましい。
【００１９】
本発明の表示装置における他の実施形態によれば、表示制御手段は、表示領域の表示中央範囲外に表示されている第１の静止画像及び字幕文字列及び第３の静止画像及び字幕文字列を、コントラストを下げることによって視覚的に目立たないように表示することも好ましい。
【００２０】
本発明によれば、映像及び字幕文字列を含むデジタル放送コンテンツに基づく要約コンテンツを表示する表示装置に搭載されたコンピュータを機能させるプログラムであって、
デジタル放送コンテンツから、字幕文字列の単位を抽出する字幕文字列抽出手段と、
デジタル放送コンテンツから、字幕文字列の単位毎に、映像を抽出する映像抽出手段と、
字幕文字列の単位に基づく映像の中から、１つの静止画像を抽出する画像抽出手段と、
字幕文字列の単位毎に、その文字数に応じて、静止画像の表示時間を決定する表示時間決定手段と、
静止画像及び字幕文字列を第１の方向に並べ、静止画像を時間進行に伴って第２の方向に滑動的に移動させて表示する表示制御手段と
を有し、
表示制御手段は、静止画像毎に、表示時間だけ、表示領域の表示中央範囲に表示されるべく、第２の方向への移動速度を可変制御する
ようにコンピュータを機能させることを特徴とする。
【００２１】
本発明によれば、映像及び字幕文字列を含むデジタル放送コンテンツに基づく要約コンテンツを表示装置に表示する表示方法であって、
デジタル放送コンテンツから、字幕文字列の単位を抽出する第１のステップと、
デジタル放送コンテンツから、字幕文字列の単位毎に、映像を抽出する第２のステップと、
字幕文字列の単位に基づく映像の中から、１つの静止画像を抽出する第３のステップと、
字幕文字列の単位毎に、その文字数に応じて、静止画像の表示時間を決定する第４のステップと、
静止画像及び字幕文字列を第１の方向に並べ、静止画像を時間進行に伴って第２の方向に滑動的に移動させて表示する第５のステップとを有し、
第５のステップは、静止画像毎に、表示時間だけ、表示領域の表示中央範囲に表示されるべく、第２の方向への移動速度を可変制御することを特徴とする。
【発明の効果】
【００２２】
本発明の表示装置、方法及びプログラムによれば、静止画像及び字幕文字列を含む要約コンテンツを、視聴者から見て、その字幕文字列の可読性を高めると共に、静止画像の表示を視覚的に自然に切り替えることができる。
【図面の簡単な説明】
【００２３】
【図１】本発明における第１の表示イメージである。
【図２】本発明における第２の表示イメージである。
【図３】本発明における表示装置の機能構成図である。
【図４】静止画像と字幕文字列との対応関係を表す説明図である。
【図５】第１の時刻及び第２の時刻における表示イメージである。
【図６】第３の時刻及び第４の時刻における表示イメージである。
【図７】第５の時刻及び第６の時刻における表示イメージである。
【図８】第７の時刻及び第８の時刻における表示イメージである。
【発明を実施するための形態】
【００２４】
以下、本発明の実施の形態について、図面を用いて詳細に説明する。
【００２５】
図１は、本発明における第１の表示イメージである。
【００２６】
表示装置１は、デジタル放送データをアンテナ又は通信インタフェースによって受信する。表示装置１は、ユーザに対するディスプレイを備えており、パーソナルコンピュータであってもよいし、携帯電話機又は携帯端末であってもよい。デジタル放送データとしては、放送波を介する地上／衛星デジタル放送や、インターネットを介するＩＰ放送等がある。デジタル放送データは、映像データ、音声データ及び字幕情報データを含む。
【００２７】
本発明における表示装置１は、受信したデジタル放送データから要約コンテンツを生成し、その要約コンテンツをディスプレイに表示する。本発明における要約コンテンツとは、原放送コンテンツから、字幕文字列の単位毎に１枚の静止画像を抽出したコンテンツである。本発明によれば、静止画像をディスプレイに表示する際に、その部分に相当する字幕文字列も同時に表示される。
【００２８】
表示装置１のディスプレイには、ブラウザ画面が表示される。そのブラウザ画面の中に、静止画像及び字幕文字列が第１の方向に並べられ、静止画像が、時間進行に伴って第２の方向に滑動的に移動させて表示される。
【００２９】
図１によれば、静止画像及び字幕文字列を上下方向（第１の方向）に並べ、その静止画像が、時間進行に伴って左右方向（第２の方向）に滑動的に移動して表示される（スムーススクロール）。また、複数の静止画像は、時間進行に伴って、右から左への方向へ流れて移動する。その画像に流れに沿って、字幕文字列も、右から左への方向へ移動する。
【００３０】
図１によれば、視聴者に注目させるべき画像及び字幕文字列は、ブラウザ画面の中央付近に表示され、且つ、ハイライトの枠で表示されている。これによって、視聴者は、注目すべき画像及び字幕文字列を認識しやすくなる。
【００３１】
注目すべき静止画像に対応する字幕文字列は、中央に表示され、ジャンプして移動するものであってもよい。また。静止画像と並行に同時に滑らかに移動するものであってもよい。
【００３２】
尚、静止画像の移動速度は、ブラウザ画面上で視聴者に確認できるように表示されることも好ましい。
【００３３】
図２は、本発明における第２の表示イメージである。
【００３４】
図２によれば、静止画像及び字幕文字列が左右方向（第１の方向）に並べられ、その静止画像が、時間進行に伴って上下方向（第２の方向）に滑動的に移動して表示される。１つの静止画像の右横に、その画像に対応する字幕文字列が表示されている。また、複数の静止画像は、時間進行に伴って、下から上への方向へ流れて移動する。その画像に流れに沿って、字幕文字列も、下から上への方向へ移動する。勿論、静止画像及び字幕文字列は、逆に上から下への方向へ移動するものであってもよい。
【００３５】
図３は、本発明における表示装置の機能構成図である。
【００３６】
図３によれば、表示装置１は、放送受信部１０１と、復調部１０２と、映像デコード部１０３と、字幕情報デコード部１０４と、音声デコード部１０５と、録画管理部１０６と、コンテンツ蓄積部１０７とを有する。
【００３７】
放送受信部１０１は、デジタル放送信号をアンテナ又は通信インタフェースによって受信し、１つのチャネルの放送信号を復調部１０２へ出力する。チャネルの選択は、視聴者の選択に基づく。復調部１０２は、その放送信号を復調する。そして、映像データは映像デコード部１０３へ出力され、字幕情報データは字幕情報デコード部１０４へ出力され、音声データは音声デコード部１０５へ出力される。映像デコード部１０３は映像データを復号し、字幕情報デコード部１０４は字幕情報データを復号し、音声デコード部１０５は音声データを復号する。復号された映像データ、字幕情報データ及び音声データは、録画管理部１０６へ出力される。録画管理部１０６は、映像データ、字幕情報データ及び音声データを１つのコンテンツとして、コンテンツ蓄積部１０７へ蓄積する。コンテンツ蓄積部１０７は、ハードディスク装置のような大容量の記録デバイスである。
【００３８】
尚、前述した機能構成部１０１〜１０６は、本発明における必須構成要素ではない。本発明によれば、コンテンツ蓄積部１０７が、要約コンテンツを生成するために、映像データ及び字幕情報データを含む少なくとも１つの放送コンテンツを蓄積していることを要する。
【００３９】
また、図３によれば、表示装置１は、字幕文字列抽出部１１１と、映像抽出部１１２と、画像抽出部１１３と、表示時間決定部１１４と、要約コンテンツ蓄積部１１５と、表示制御部１２１と、ディスプレイ部１２２とを有する。ディスプレイ１２１以外のこれら機能構成部は、表示装置に搭載されたコンピュータを機能させるプログラムを実行することによって実現される。また、以下で説明する機能構成部は、要約コンテンツを表示する表示装置における表示方法として、時系列に表されている。
【００４０】
尚、図４は、静止画像と字幕文字列との対応関係を表す説明図である。以下では、図４は、図３と共に説明される。
【００４１】
字幕文字列抽出部１１１は、コンテンツ蓄積部１０７から１つの放送コンテンツを取得し、字幕文字列の単位を抽出する。図４（ｂ）は、字幕文字列の単位を表す。字幕文字列は、２秒程度の短い間隔の映像データで検出される場合もあれば、１０秒以上の長い間隔の映像データで検出される場合もある。
【００４２】
映像抽出部１１２は、コンテンツ蓄積部１０７から１つの放送コンテンツを取得すると共に、字幕文字列抽出部１１１から字幕文字列の検出タイミングを入力する。図４（ａ）は映像データのフレームを表す。映像抽出部１１２は、図４（ａ）及び図４（ｂ）の関係を検出する。
【００４３】
図４によれば、フレームＦ１を再生する際に字幕文字列Ｃ１が検出され、その後、フレームＦ７を再生する際に字幕文字列Ｃ２が検出されている。この場合、１つの字幕文字列Ｃ１に、複数のフレームＦ１〜Ｆ６が対応付けられる。視聴者に対して、ディスプレイは、複数のフレームＦ１〜Ｆ６の再生中に、字幕文字列Ｃ１を重畳して表示する。図４によれば、次も同様に、ディスプレイは、複数のフレームＦ７〜Ｆ１３の再生中に、字幕文字列Ｃ２を重畳して表示する。
【００４４】
画像抽出部１１３は、字幕文字列の単位に基づく映像データのフレームの中から、１つの画像を抽出する。一般的に、字幕文字列は、映像の進行よりも少し早いタイミングで表示される。但し、生放送番組等では、字幕文字列の方が映像よりも遅く表示される場合もある。そのために、映像の進行と字幕文字列の進行とが必ずしも一致していない。字幕文字列に対して、できる限り適切な静止画像を抽出するために、図４（ｃ）によれば、真ん中の画像が選択されている。勿論、例えば１番目の画像を選択するものであってもよいし、ランダムに選択するものであってもよい。
【００４５】
表示時間決定部１１４は、字幕文字列の単位毎に、その文字数に応じて、対応する静止画像の表示時間を決定する。本発明によれば、表示時間は、以下の式によって表される。
表示時間（秒）＝字幕文字数×Ｓ＋Ｂ
Ｓ：１文字当たりの表示時間（例えば１文字当たり０．１秒）
Ｂ：最小表示時間（字幕文字数が０でも表示すべき最小時間：例えば２秒）
最小表示時間Ｂによって、視聴者から見て、表示時間が短くなりすぎることによる視覚的な不快感がないようにする。
【００４６】
表示制御部１２１は、静止画像及び字幕文字列を第１の方向に並べ、その静止画像を時間進行に伴って第２の方向に滑動的に移動させて表示する（スムーススクロール）。また、表示制御部１２１は、少なくとも３つ以上の静止画像及び字幕文字列を、時間進行に伴って第２の方向に滑動的に移動しながら表示する。表示領域の表示中央範囲に第２の静止画像及び字幕文字列を表示し、当該表示中央範囲の前方に時間的過去の第１の静止画像及び字幕文字列を表示し、当該表示中央範囲の後方に時間的未来の第３の静止画像及び字幕文字列を表示する。ここで、表示領域の表示中央範囲に表示される第２の静止画像及び字幕文字列は、「フォーカス画像」「フォーカス字幕」を意味する。
【００４７】
表示制御部１２１は、表示領域の表示中央範囲に表示されているフォーカス画像及びフォーカス字幕を、ハイライトによって視覚的に強調して表示する。例えば、目立つような枠色（例えばオレンジ）を表示することも好ましい。
【００４８】
逆に、表示制御部１２１は、表示領域の表示中央範囲外に表示されている第１の静止画像及び字幕文字列及び第３の静止画像及び字幕文字列を、コントラストを下げることによって視覚的に目立たないように表示するものであってもよい。例えば、第１の静止画像及び字幕文字列と第３の静止画像及び字幕文字列とを「コントラスト：−４０％」「ぼかし：２．５ポイント」で表示することも好ましい。また、字幕文字列は、文字を薄い色で表示することも好ましい。
【００４９】
そして、表示制御部１２１は、静止画像毎に、その表示時間だけ、表示領域の表示中央範囲Ｌ内に表示されるべく、第２の方向への移動速度を可変制御する。第２の方向への移動速度は、表示領域の表示中央範囲における距離から、表示時間で除算することによって決定される。
【００５０】
図５〜図８は、時間経過に伴う表示イメージを表し、静止画像の列と、字幕文字列の列とが並べて表示されている。複数の画像は、時間進行に伴って、右から左への方向へ流れて移動する。その画像に流れに沿って、字幕文字列も、右から左への方向へ移動する。
【００５１】
また、表示領域には、表示領域の中心ｘ０を中心とする表示中央範囲Ｌが表される。フォーカス画像は、その表示時間の間、表示中央範囲Ｌを移動する。
表示中央範囲Ｌ：  ｘ０＋Ｌ／２  <-  ｘ０  ->  ｘ０−Ｌ／２
【００５２】
表示中央範囲Ｌは、ピクセル数で表される。画面サイズは固定であるために、ピクセル数Ｄは、プログラム的に固定値となる。画面の解像度が１８２０×１０８０である場合、Ｄ＝３６０（ピクセル）が適当である。一方で、フォーカス画像は、例えばＪＰＥＧサイズ最大２４０×１８０である場合、１．４倍のサイズ３３６×２５２に拡大することも好ましい。
【００５３】
表示中央範囲Ｌの移動速度は、以下の式によって表される。
移動速度（ピクセル／秒）＝表示中央範囲Ｄ（ピクセル）／表示時間（秒）
【００５４】
また、表示領域の表示中央範囲に表示される画像が、第１の画像から第２の画像へ切り替わる際に、第１の画像の表示時間の中の終了所定時間範囲と、第２の画像の表示時間の中の開始所定時間範囲との間で、第１の画像の表示時間に基づく第１の移動速度から、第２の表示時間に基づく第２の移動速度へ可変制御される。
【００５５】
更に、表示時間は、視聴者の所望設定によって、以下の式のように表されることも好ましい。
表示時間（秒）＝Ｆ・（字幕文字数×Ｓ＋Ｂ）
Ｆ：加速・減速定数（例えば０．５〜１．５）
加速・減速定数Ｆは、例えば視聴者が、要約コンテンツを高速に閲覧したい場合には１以下に設定する。逆に、視聴者が、要約コンテンツをゆっくり閲覧したい場合には１以上に設定する。
【００５６】
図５は、第１の時刻及び第２の時刻における表示イメージである。
【００５７】
第１の時刻ｔ１によれば、静止画像Ｆ３が表示中央範囲Ｌ内に表示されている。静止画像Ｆ３の表示時間は、字幕文字数に基づいてＴ１＝３秒に決定されている。このとき、静止画像の列が、右から左の方向へ移動する移動速度は、以下の式によって制御される。
移動速度（ピクセル／秒）＝表示中央範囲のピクセル数Ｄ／表示時間Ｔ１
このとき、静止画像Ｆ３に対応する字幕文字列も、表示中央範囲Ｌ内に表示されている。
【００５８】
表示中央範囲のピクセル数Ｄが３６０ピクセルとすると、移動速度は、以下のようになる。
移動速度＝Ｄ／Ｔ１
＝３６０ピクセル／３秒
＝１２０ピクセル／秒
【００５９】
第２の時刻ｔ２によれば、静止画像の列が移動し、静止画像Ｆ３が、表示中央範囲Ｌに表示すべき終了所定時間範囲（例えば表示時間における終わり１０％）に達したとする。
終了所定時間範囲＝表示時間Ｔ１×所定割合（１０％）
＝３秒×１０％
＝０．３秒
【００６０】
終了所定時間範囲０．３秒について、移動速度は、以下のように可変制御される。
移動速度＝Ｄ／Ｔ１  ->  （Ｄ／Ｔ１＋Ｄ／Ｔ２）／２
静止画像の列は、静止画像Ｆ３の表示時間に対する移動速度から、静止画像Ｆ１１の表示時間に対する移動速度へ、減速される。静止画像Ｆ３の中心が、表示中央範囲Ｌの外側境界と一致した時、移動速度（Ｄ／Ｔ１＋Ｄ／Ｔ２）／２になる。終了所定時間範囲では、静止画像Ｆ３に対応する字幕文字列が、表示中央範囲Ｌ内に表示される。
【００６１】
図５によれば、静止画像Ｆ３の表示時間はＴ１＝３秒であり、静止画像Ｆ１１の表示時間はＴ２＝４秒である。このとき、移動速度は、以下のように減速される。
移動速度＝Ｄ／Ｔ１  ->  （Ｄ／Ｔ１＋Ｄ／Ｔ２）／２
＝１２０  ->  （３６０／３＋３６０／４）／２
＝１２０ピクセル／秒  ->  １０５ピクセル／秒
【００６２】
図６は、第３の時刻及び第４の時刻における表示イメージである。
【００６３】
第３の時刻ｔ３によれば、静止画像Ｆ３の中心ｘ０及び静止画像Ｆ１１の中心ｘ０が、表示中央範囲Ｌの外側境界と一致する。このとき、このとき、静止画像の列が、右から左の方向へ移動する移動速度は、以下の式によって制御される。
移動速度＝（Ｄ／Ｔ１＋Ｄ／Ｔ２）／２
＝１０５ピクセル／秒
このとき、まだ、静止画像Ｆ３に対応する字幕文字列が、表示中央範囲Ｌ内に表示されている。
【００６４】
第４の時刻ｔ４によれば、静止画像の列が移動し、静止画像Ｆ１１が、表示中央範囲Ｌに表示すべき開始所定時間範囲（例えば表示時間における始め１０％）に達したとする。
終了所定時間範囲＝表示時間Ｔ２×所定割合（１０％）
＝４×１０％
＝０．４秒
【００６５】
このとき、静止画像の列は、開始所定時間範囲０．４秒について、以下のように、移動速度を可変制御する。
移動速度＝（Ｄ／Ｔ１＋Ｄ／Ｔ２）／２  ->  Ｄ／Ｔ２
静止画像の列は、静止画像Ｆ３の表示時間に対する移動速度から、静止画像Ｆ１１の表示時間に対する移動速度へ、減速される。終了所定時間範囲では、静止画像Ｆ３に対応する字幕文字列が、表示中央範囲Ｌ内に表示される。
【００６６】
図５によれば、静止画像Ｆ３の表示時間はＴ１＝３秒であり、静止画像Ｆ１１の表示時間はＴ２＝４秒である。このとき、移動速度は、以下のように減速される。
移動速度＝（Ｄ／Ｔ１＋Ｄ／Ｔ２）／２  ->  Ｄ／Ｔ２
＝（３６０／３＋３６０／４）／２  ->  ９０
＝１０５ピクセル／秒->９０ピクセル／秒
【００６７】
図７は、第５の時刻及び第６の時刻における表示イメージである。
【００６８】
第５の時刻ｔ５によれば、静止画像Ｆ１１が表示中央範囲Ｌ内に表示されている。このとき、移動速度は、以下のようになる。
移動速度＝Ｄ／Ｔ２
＝３６０ピクセル／４秒
＝９０ピクセル／秒
このとき、静止画像Ｆ３に対応する字幕文字列も、表示中央範囲Ｌ内に表示されている。
【００６９】
第６の時刻ｔ６によれば、静止画像Ｆ１１が、終了所定時間範囲（例えば表示時間における終わり１０％）に達したとする。
終了所定時間範囲＝表示時間Ｔ２×所定割合（１０％）
＝４秒×１０％
＝０．４秒
【００７０】
終了所定時間範囲０．４秒について、移動速度は、以下のように加速される。
移動速度＝Ｄ／Ｔ２  ->  （Ｄ／Ｔ２＋Ｄ／Ｔ３）／２
＝９０  ->  （３６０／４＋３６０／３）／２
＝９０ピクセル／秒  ->  １０５ピクセル／秒
【００７１】
図８は、第７の時刻及び第８の時刻における表示イメージである。
【００７２】
第７の時刻ｔ７によれば、静止画像Ｆ１１の中心ｘ０及び静止画像Ｆ１８の中心ｘ０が、表示中央範囲Ｌの外側境界と一致する。このとき、移動速度は、以下の式によって制御される。
移動速度＝（Ｄ／Ｔ１＋Ｄ／Ｔ２）／２
＝１０５ピクセル／秒
このとき、まだ、静止画像Ｆ１１に対応する字幕文字列が、表示中央範囲Ｌ内に表示されている。
【００７３】
第８の時刻ｔ８によれば、静止画像の列が移動し、静止画像Ｆ１８が、表示中央範囲Ｌに表示すべき開始所定時間範囲（例えば表示時間における始め１０％）に達したとする。
終了所定時間範囲＝表示時間Ｔ３×所定割合（１０％）
＝３×１０％
＝０．３秒
【００７４】
このとき、静止画像の列は、開始所定時間範囲０．３秒について、移動速度は、以下のように加速される。
移動速度＝（Ｄ／Ｔ２＋Ｄ／Ｔ３）／２  ->  Ｄ／Ｔ３
＝（３６０／４＋３６０／２）／２  ->  １２０
＝１０５ピクセル／秒->１２０ピクセル／秒
【００７５】
前述した図５〜図８によれば、静止画像毎に、その表示時間だけ、表示領域の表示中央範囲に表示されるべく、第２の方向への移動速度が可変制御される。
【００７６】
以上、詳細に説明したように、本発明の表示装置、方法及びプログラムによれば、静止画像及び字幕文字列を含む要約コンテンツを、視聴者から見て、その字幕文字列の可読性を高めると共に、静止画像の表示を視覚的に自然に切り替えることができる。
【００７７】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００７８】
１  表示装置
１０１  放送受信部
１０２  復調部
１０３  映像デコード部
１０４  字幕情報デコード部
１０５  音声デコード部
１０６  録画管理部
１０７  コンテンツ蓄積部
１１１  字幕文字列抽出部
１１２  映像抽出部
１１３  画像抽出部
１１４  表示時間決定部
１１５  要約コンテンツ蓄積部
１２１  表示制御部
１２２  ディスプレイ部
【図１】
2011061670.tif 000003
【図２】
2011061670.tif 000004
【図３】
2011061670.tif 000005
【図４】
2011061670.tif 000006
【図５】
2011061670.tif 000007
【図６】
2011061670.tif 000008
【図７】
2011061670.tif 000009
【図８】
2011061670.tif 000010